(57)【要約】【課題】フラットケーブル用コネクタにおいて、フラットケーブルを嵌合する際の作業性を向上させる。【解決手段】  ハウジング５は、電子機器に固定され、フラットケーブル１が差し込まれる差込部１０と、この差込部１０から内部へと続くフラットケーブル収容空間と、が形成されている。端子６は、前記ハウジング５内に配列配置されて、電子機器に設けられた配線端子に接続され、フラットケーブル１が差込部１０を通じてフラットケーブル収容空間に差し込まれた際に、フラットケーブル１の接続端子部に接触接続される。そして、前記ハウジング５には、前記差込部１０の挿入側に前記差込部１０と同一高さのフラットケーブル載置平面（低段面）５ａが形成される。【選択図】図１
2014063629.tif 000002
【特許請求の範囲】
【請求項１】
フラットケーブルの接続端子部と電子機器とを接続するフラットケーブル用コネクタであって、
前記電子機器に固定され、フラットケーブルが差し込まれる差込部と、この差込部から内部へと続くフラットケーブル収容空間と、が形成されたハウジングと、
前記ハウジング内に配列配置されて、電子機器に設けられた配線端子に接続され、フラットケーブルが差込部を通じてフラットケーブル収容空間に差し込まれた際に、フラットケーブルの接続端子部に接触接続される端子と、を備え、
前記ハウジングは、
前記差込部の挿入側に前記差込部と同一高さのフラットケーブル載置平面が形成されたことを特徴とするフラットケーブル用コネクタ。
【請求項２】
前記フラットケーブル載置平面の両端にはそれぞれ壁状部が形成され、
前記壁状部のうち少なくとも一方は、ハウジングの挿入側から差込部側へ向かうに従い中央側に傾斜したテーパ状に形成されていることを特徴とする請求項１記載のフラットケーブル用コネクタ。
【請求項３】
前記ハウジングの電子機器に対接する面の裏面に載置され、フラットケーブルの接続端子部が前記端子に接触接続した際にフラットケーブルの先端側に形成された係止孔に係合する一対のフラットケーブル保持部と、前記一対のフラットケーブル保持部に跨って架設された基部と、が形成されたロック部材と、を備えたことを特徴とする請求項１または２記載のフラットケーブル用コネクタ。
【発明の詳細な説明】
【技術分野】
【０００１】
本発明は、フラットケーブルと電子機器とを接続するフラットケーブル用コネクタに関する。
【背景技術】
【０００２】
各種の電子機器の相互接続には、配線スペースの低減や、配線経路の自由度を向上させるために、フラットケーブル等が用いられている。このようなフラットケーブルと各種電子機器等は、通常、着脱式のフラットケーブル用コネクタを介して接続される。
【０００３】
ここで、従来におけるフラットケーブル用コネクタの一例を図１０に基づいて説明する。フラットケーブル用コネクタ２は、ハウジング５内に端子（図示省略）が収納されており、フラットケーブル１を差込部１０から挿入することにより、フラットケーブル１と端子とが電気的に接続される。
【先行技術文献】
【特許文献】
【０００４】
【特許文献１】特開２００３−２９７４６３号公報
【特許文献２】特開２００５−１９１８７号公報
【特許文献３】特開２００４−２１４１２４号公報
【特許文献４】特開２０１２−１０９０５９号公報
【発明の概要】
【発明が解決しようとする課題】
【０００５】
しかしながら、前記フラットケーブル用コネクタ２は、差込部１０がテーパ状に形成されているものの小さいため、フラットケーブル１とフラットケーブル用コネクタ２とを接続する際の作業性が悪かった。また、接続する際にフラットケーブル１の先端が差込部１０の周辺に接触し、フラットケーブル１が損傷する恐れがあった。
【０００６】
以上示したようなことから、フラットケーブル用コネクタにおいて、フラットケーブルを接続する際の作業性を向上させることが課題となる。
【課題を解決するための手段】
【０００７】
本発明は、前記従来の問題に鑑み、案出されたもので、その一態様は、フラットケーブルの接続端子部と電子機器とを接続するフラットケーブル用コネクタであって、前記電子機器に固定され、フラットケーブルが差し込まれる差込部と、この差込部から内部へと続くフラットケーブル収容空間と、が形成されたハウジングと、前記ハウジング内に配列配置されて、電子機器に設けられた配線端子に接続され、フラットケーブルが差込部を通じてフラットケーブル収容空間に差し込まれた際に、フラットケーブルの接続端子部に接触接続される端子と、を備え、前記ハウジングは、前記差込部の挿入側に前記差込部と同一高さのフラットケーブル載置平面が形成されたことを特徴とする。
【０００８】
また、その一態様として、前記フラットケーブル載置平面の両端にはそれぞれ壁状部が形成され、前記壁状部のうち少なくとも一方は、ハウジングの挿入側から差込部側へ向かうに従い中央側に傾斜したテーパ状に形成されていることを特徴とする。
【０００９】
さらに、その一態様として、前記ハウジングの電子機器に対接する面の裏面に載置され、フラットケーブルの接続端子部が前記端子に接触接続した際にフラットケーブルの先端側に形成された係止孔に係合する一対のフラットケーブル保持部と、前記一対のフラットケーブル保持部に跨って架設された架設部と、が形成されたロック部材と、を備えたことを特徴とする。
【発明の効果】
【００１０】
本発明によれば、フラットケーブル用コネクタにおいて、フラットケーブルと接続する際の作業性を向上させることが可能となる。
【図面の簡単な説明】
【００１１】
【図１】実施形態におけるフラットケーブル用コネクタとフラットケーブルを示す斜視図である。
【図２】実施形態におけるフラットケーブル用コネクタを示す斜視図である。
【図３】実施形態におけるフラットケーブル用コネクタを示す分解斜視図である。
【図４】実施形態におけるフラットケーブル用コネクタとフラットケーブルを示す平面図である。
【図５】実施形態におけるフラットケーブル用コネクタとフラットケーブルとの接続状態を示す斜視図である。
【図６】実施形態におけるロック部材を示す斜視図である。
【図７】実施形態におけるロック部材の他例を示す斜視図である。
【図８】挿入前，挿入中，挿入状態におけるフラットケーブルとフラットケーブル用コネクタを示す断面図である。
【図９】フラットケーブル用コネクタの他例を示す平面図である。
【図１０】従来におけるフラットケーブル用コネクタとフラットケーブルの一例を示す斜視図である。
【発明を実施するための形態】
【００１２】
以下、実施形態におけるフラットケーブル用コネクタを図１〜図８に基づいて詳細に説明する。
【００１３】
［実施形態］
図１はフラットケーブルと本実施形態におけるフラットケーブル用コネクタ（以下、コネクタと称する）を示す斜視図，図２はコネクタを示す斜視図，図３はコネクタの分解斜視図，図４はフラットケーブルとコネクタを示す平面図，図５はフラットケーブルとコネクタの接続状態を示す斜視図である。なお、以下の説明で、コネクタ２について、フラットケーブル１との接続の際に、フラットケーブル１に向く側を挿入側という。
【００１４】
図１に示すように、フラットケーブル１は平板状に形成されており、その一端にはコネクタ２との接続端子部（図示省略）が形成されている。また、フラットケーブル１における両側縁側の前記一端側には係止孔４，４が形成されている。
【００１５】
図１〜図５に示すように、コネクタ２は、前記フラットケーブル１の接続端子部と接続される端子６と、前記端子６を収納するハウジング５と、ハウジング５内に挿入されたフラットケーブル１を係止するロック部材７と、ロック部材７をハウジング５側に押さえ付け、ハウジング５を各種電子機器（例えば、配線基板）に固定する固定部材８と、が備えられている。
【００１６】
前記ハウジング５は、略直方体状に形成されており、長手方向に沿ってフラットケーブル１を挿入するための差込部１０が形成され、この差込部１０からハウジング５内部へとフラットケーブル収容空間（図示省略）が延設されている。
【００１７】
また、ハウジング５の上面（電子機器に対接する面の裏面）は、前記挿入側に形成された下段面５ａと、ロック部材７が収納される箇所に形成された中段面５ｂと、前記挿入側の反対側に形成された上段面５ｃとで、段差状に形成されている。前記下段面５ａは差込部１０と同一高さまで切り欠かれ、前記中段面５ｂは後述するロック部７の基部７ａの厚みと同一の寸法で切り欠かれている。前記下段面５ａは、フラットケーブル１を差込部１０へ挿入する際、上下方向における位置決めをするフラットケーブル載置面となる（以下、フラットケーブル載置平面と称する）。
【００１８】
前記フラットケーブル載置平面５ａの両端には、フラットケーブル１のハウジング５内における長手方向の位置を規制するための壁状部１６，１６が形成されている。この壁状部１６，１６は前記挿入側が広く差込部１０側に向かうにつれて狭いテーパ状に形成されている。この差込部１０側における壁状部１６，１６の間隔は、フラットケーブル１の幅寸法と同一か又は僅かに大きく設計され、フラットケーブル１の左右方向における位置を規制する。
【００１９】
また、ハウジング５の中段面５ｂの両端側には、後述するロック部材７の延接部７ｂを収納する収納部２０ａと、抜け防止係止部７ｃを係止する係止突起２０ｂが形成されている。さらに、ハウジング５の両端には、後述する固定部材８の圧入部８ａが圧入される溝１８が形成されている。
【００２０】
図６に示すように、前記ロック部材７は、ハウジング５の中段面５ｂ上に載置される長尺状の基部７ａと、基部７ａの両端から垂直に延設された延設部７ｂ，７ｂと、延設部７ｂ，７ｂの一方の側面（ハウジング５に組み付けた際の挿入側と反対側の面）から突出した突出部７ｃ，７ｃと、基部７ａの両端側下部（ハウジング５に組み付けた際のハウジング５側）から突出したフラットケーブル保持部７ｄ，７ｄと、が形成されている。すなわち、一対のフラットケーブル保持部７ｄ，７ｄに跨って基部７ａが架設されている。
【００２１】
前記フラットケーブル保持部７ｄ，７ｄの一方の側面（前記挿入側）は、差込部１０側からフラットケーブル収容空間に向かうに従って傾斜するテーパ面１３が形成されており、他方の面（前記挿入側と反対側の面）には、前記基部７ａと垂直をなす係止面１４が形成されている。前記ロック部材７はハウジング５に載置した状態でハウジング５の上段面５ｃと基部７ａの上面（ハウジング５に対接する面の裏面）が同一の高さとなり、同一平面を形成する。また、図３に示すように、基部７ａの両端側上面（ハウジング５に対接する面の裏面）には固定部材８と係合する係合溝１９，１９が形成されている。
【００２２】
また、前記ロック部材７は、図７に示すような構成でも良い。図７に示すロック部材の他例では、突出部７ｃ，７ｃは延設部７ｂ，７ｂから突出しているのではなく、基部７ａの両端から延設部７ｂ，７ｂと一定の間隔を空けて延設された側板７ｅの自由端側から突出している。すなわち、延設部７ｂ，７ｂと前記側板７ｅ，７ｅとの間には間隙が設けてあり、ロック部材７をハウジング５に組み付ける際に側板７ｅ，７ｅが延設部７ｂ，７ｂ方向に撓むようになっている。
【００２３】
前記固定部材８は、図３に示すように、ハウジング５に形成された前記溝１８に圧入される圧入部８ａと、ロック部材７に形成された係合溝１９に係合するアーム部８ｂと、電子部品と固定するための固定部８ｃと、が形成されている。
【００２４】
端子６は、ハウジング５内に収納され、ハウジング５の長手方向に沿って配列配置される。端子６の一端は電子機器に設けられた配線端子に接続され、他端はフラットケーブル１がハウジング５における収容空間の保持規定位置まで挿入された際に、フラットケーブル１の接続端子部と接続される。
【００２５】
ロック部材７はハウジング５の中段面５ｂ上に載置され、ロック部材７の延設部７ｂ，７ｂは、ハウジング５の収納部２０ａ，２０ａ内に収納される。そして、固定部材８のアーム部８ｂをロック部材７の係合溝１９に係合させ、圧入部８ａを溝１８内に圧入させる。この固定部材８におけるアーム部８ｂの弾性力により、ロック部材７はハウジング５側に押さえつけられる。なお、ロック部材７は固定部材８を取り付けた状態でも上下に移動可能である。そして、ロック部材７，固定部材８が取り付けられたコネクタ２は、固定部材８の固定部８ｃが電子部品に固定されることにより、電子部品に固定される。端子６の一端は電子機器の配線端子（図示省略）に半田付け等により電気的に接続される。これにより、コネクタ２の組み立てが完了する。
【００２６】
次に、上記のようなコネクタ２に対して、フラットケーブル１を接続・抜脱する際におけるコネクタ２の動作を図８に基づいて説明する。
【００２７】
（１）フラットケーブル接続時
図８（ａ）に示すように、フラットケーブル１をハウジング５のフラットケーブル載置平面５ａに乗せ、コネクタ２（ハウジング５）の差込部１０を通じてハウジング５内の収容空間内に差し込む。フラットケーブル１をハウジング５に挿入する際、フラットケーブル１の左右端面１５，１５がハウジング５の壁状部１６，１６に当接するが、壁状部１６，１６がテーパ状に形成されているため、フラットケーブル１を挿入していくことにより、ハウジング５内における長手方向（端子６配列方向）の位置が規制される。
【００２８】
図８（ｂ）に示すように、フラットケーブル１がハウジング５の収容空間に挿入されると、フラットケーブル１の接続端子部が、ロック部材７におけるフラットケーブル保持部７ｄのテーパ面１３に摺動し、ロック部材７を固定部材８（アーム部８ｂ）からの弾性力に逆らって上方に押し上げる。この時、ハウジング５の上段面５ｃに対して基部７ａの上面（ハウジング５に対接する面の裏面）が高くなり段差が形成される。
【００２９】
図８（ｃ）に示すように、フラットケーブル１をハウジング５の収容空間の保持規定位置まで挿入すると、フラットケーブル保持部７ｄ，７ｄがフラットケーブル１の係止孔４，４に係合し、ロック部材７が固定部材８（アーム部８ｂ）の弾性力により下方に下がり元の位置に戻る。この時、ハウジング５の上段面５ｃと基部７ａの上面（ハウジング５に対接する面の裏面）の高さが同一となり、同一平面を形成する。
【００３０】
このように、フラットケーブル１は係止孔４とロック部材７の係止面１４によって係止されることにより、コネクタ２（ハウジング５）から不所望に抜脱することが防止される。
【００３１】
（２）フラットケーブル抜脱時
図８（ｂ）に示すように、ロック部材７を上方に持ち上げ、フラットケーブル保持部７ｄ，７ｄの係止面１４，１４を係止用孔４，４より上に移動させることによりフラットケーブル１の係止（ロック）が解除される。これにより、コネクタ２内に差し込まれたフラットケーブル１がコネクタ２から抜脱され得る状態におかれる。
【００３２】
また、ロック部材７をさらに上方に持ち上げていくと、ロック部材７の抜け防止係止部７ｃと収納部２０ａに形成された係止突起２０ｂとが接触するため、さらにロック部材７が上方へ移動することが規制され、ロック部材７がハウジング５から外れることが抑制される。
【００３３】
以上示したように、本実施形態におけるコネクタ２によれば、フラットケーブル１をハウジング５のフラットケーブル載置平面５ａに置くことにより、上下方向の位置決めをすることができるため、作業者は上下方向の位置決めを意識することなく容易にフラットケーブル１をコネクタ２に挿入することが可能となる。また、フラットケーブル１の先端が差込部１０周辺に接触し、フラットケーブル１が損傷することを抑制することができる。
【００３４】
さらに、フラットケーブル１をコネクタ２に挿入する際、フラットケーブル載置平面５ａに形成された壁状部１６，１６がテーパ状に形成されているため、フラットケーブル１が差込部１０に挿入される前にハウジング５における長手方向の位置決めをしながら挿入していくことが可能となる。また、左右の壁状部１６、１６の両方をテーパ状に形成するのではなく、図９に示すように、一方の壁状部１６のみをテーパ状に形成しても良い。
【００３５】
また、前記フラットケーブル載置平面５ａは、目視で確認しやすいため、フラットケーブル１をコネクタ２に挿入する際の位置の目安となる。
【００３６】
さらに、フラットケーブル１とコネクタ２の接続時は、フラットケーブル１をハウジング５の差込部１０に挿入するだけで、フラットケーブル１の接続端子部と端子６とを接触接続させることができると共に、ロック部材７により、フラットケーブル１がハウジング５から不所望に抜脱されるのを阻止することができる（すなわち、ワンタッチ構造）。
【００３７】
また、フラットケーブル１が、ハウジング５内の収容空間における保持規定位置まで達していない半挿入状態では、ロック部材７における基部７ａの上面（ハウジング５に対接する面の裏面）がハウジング５の上段面５ｃから突出しているため、半挿入状態が検知しやすい。
【００３８】
また、本実施形態におけるロック部材７はフラットケーブル保持部７ｄ，７ｄが基部７ａを介して一体に形成され、左右の係止構造が連結しているため、ロック解除時は基部７ａのみを持ち上げればよい。その結果、フラットケーブル１をコネクタ２から抜脱する作業が容易になる。
【００３９】
さらに、ロック部材７は固定部材８によってハウジング５方向に押さえつけられているため、コネクタ２の実装状態を問わず使用可能である。すなわち、ハウジング５に対して、ロック部材７が下側になる状態でコネクタ２が実装されても固定部材８によりロック部材７がハウジング５側へ押さえ付けられるため、使用可能である。
【００４０】
また、ロック部材７に突出部７ｃが形成され、ハウジング５に係止突起２０ｂが形成されているため、ロック部材７の基部７ａがハウジング５から所定の間隔以上離れると、前記突出部７ｃと係止突起２０ｂが係止し、ロック部材７がハウジング５から外れることが抑制される。また、固定部材８の過大変位を防止することができる。
【００４１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００４２】
例えば、図１〜図７に示したコネクタ２は一例であり、フラットケーブル１と嵌合するコネクタ２であれば、本願発明のように差込部１０と同一高さのフラットケーブル載置平面５ａを形成する構成は適用可能である。
【００４３】
また、図３において、突出部７ｃはロック部材７の挿入側の反対側と形成されているが、ロック部材７の両端，または挿入側に形成しても同様の効果が得られる。
【符号の説明】
【００４４】
１…フラットケーブル
２…フラットケーブル用コネクタ（コネクタ）
４…係止孔
５…ハウジング
５ａ…下段面（フラットケーブル載置平面）
５ｂ…中段面
５ｃ…上段面
６…端子
７…ロック部材
７ａ…基部
７ｄ…フラットケーブル保持部
８…固定部材
８ａ…圧入部
８ｂ…アーム部
８ｃ…固定部
１０…差込部
【図１】
2014063629.tif 000003
【図２】
2014063629.tif 000004
【図３】
2014063629.tif 000005
【図４】
2014063629.tif 000006
【図５】
2014063629.tif 000007
【図６】
2014063629.tif 000008
【図７】
2014063629.tif 000009
【図８】
2014063629.tif 000010
【図９】
2014063629.tif 000011
【図１０】
2014063629.tif 000012